(57)【要約】【課題】着用時の快適性を維持しつつ運動や関節の曲げ伸ばし動作を妨げることのない関節用サポータ。【解決手段】膝用サポータ１０は、筒状のサポータ本体１２を備えている。サポータ本体１２には、脚１４の側面側において各々が可撓性を有する複数のステー２６（２６Ａ、２６Ｂ、２６Ｃ）が設けられており、ステー２６の各々が太腿１８側及び脛２０側に延伸されている。これにより、サポータ本体１２が膝１６の側面側をステー２６によって形成される擬似的な支持面２８で支持できるので、着用時の快適性を維持しつつ運動や関節の曲げ伸ばし動作を妨げることがない。従って、膝痛を有する人に脚１４の屈伸運動に対して不安が生じるのを抑制できる。【選択図】図１
2018166944.tif 000002
【特許請求の範囲】
【請求項１】
筒状に形成されて関節を挟んで関節の一側から関節の他側の範囲をサポートするサポータ本体と、
前記サポータ本体の前記関節の側面側において前記関節に対する前後方向の中間部、該中間部の前側及び後側にそれぞれ設けられて、各々が前記関節の一側及び前記関節の他側に延伸された可撓性を有する複数の支持体と、
を備えた関節用サポータ。
【請求項２】
前記サポータ本体が脚の膝関節において、前記一側とされる膝関節の太腿側から前記他側とされる膝関節の脛側の範囲をサポートする請求項１に記載の関節用サポータ。
【請求項３】
前記脚の前後方向における前記支持体の中心間隔が２ｍｍ以上にされた請求項２に記載の関節用サポータ。
【請求項４】
前記支持体の少なくとも一つが前記脚の前側又は後側に向けて凸状に曲げられている請求項２又は請求項３に記載の関節用サポータ。
【請求項５】
前記支持体の少なくとも一つに前記脚の膝関節の側方部分に変曲点が設けられている請求項２から請求項４の何れか１項に記載の関節用サポータ。
【請求項６】
前記支持体は、前記脚の両側面の各々に設けられている請求項２から請求項５の何れか１項に記載の関節用サポータ。
【請求項７】
前記支持体は、金属製、樹脂製又は竹製である請求項２から請求項６の何れか１項に記載の関節用サポータ。
【発明の詳細な説明】
【技術分野】
【０００１】
本発明は、関節用サポータに関する。
【背景技術】
【０００２】
一般に、膝痛を有する人は、膝に対して負荷の高い屈伸や伸展を行うことについて不安を感じる。ここから、膝の屈伸や伸展を補助する装具が設けられた様々な関節用サポータが提案されている。
【０００３】
例えば、特許文献１には、不必要な場合に屈伸補助弾性体を外すことができると共に、必要に応じて屈伸補助力を変化させることができる膝用サポーターが提案されている。特許文献１の膝用サポーターでは、膝巻付け輪郭形状の生地主体の内面中央の膝裏当接面に通気性生地を重着すると共に、片面パイル生地からなり巻付け内面をパイル形成面としその裏面の自由端部に面ファスナー雄片を縫着した膝当て布を重着縁部の片方に沿って縫着し、膝裏当接面の両側の巻付け部分の内面には、生地の裏面であって膝屈伸ラインとなる部位に沿って、複数本の屈伸補助用弾性体を独立してそれぞれ封入したポケット部の形成された片面パイル生地を、パイル形成面を表面として重着し、片方の巻付け部の外面端部には、面ファスナー雄片を設けて構成する際、屈伸補助用弾性体を封入すべき各ポケット部の一端のパイル形成面側に開口部を形成し、該開口部から、一端部に挿脱用保持部を形成した屈伸補助用弾性体の他端部から挿入するようにして、屈伸補助用弾性体の脱着が自由にできるようにしている。
また、特許文献２には、膝用サポーターとして用いることができ、ずれ落ちや型崩れを防ぎ、スムーズな動きが可能なずれ落ちを防止するニット製品が提案されている。特許文献２のニット製品では、ニット製品内部表面上に中空状の布製ボーンを設置して、多数の細いプラスチック製ボーンをフレキシブルチューブ中に集中させて、プラスチック製ボーンと共にフレキシブルチューブをニット製品の布製ボーン内に挿入して所定位置に収容させることで、プラスチック製ボーン自身が有するフレキシブル作用により、ニット製品が持つ元の形態を支えて、スムーズで自由な活動を妨げるのを回避する目的を達成できるようにしている。
さらに、特許文献３には、膝に装着した場合でも、膝関節が動き易く使用時の安定性に優れた関節用サポーターが提案されている。特許文献３の関節用サポーターでは、サポーター本体の側部に弾性体からなるヒンジを装着しており、ヒンジは関節に対応する位置に関節の曲げ伸ばしに伴いヒンジが折れ曲がる際の支点となる屈曲部を有している。
【先行技術文献】
【特許文献】
【０００４】
【特許文献１】実開平０６−０７５４３９号公報
【特許文献２】登録実用新案第３１９６２８５号公報
【特許文献３】特開２００７−０９２２２２号公報
【発明の概要】
【発明が解決しようとする課題】
【０００５】
ところで、膝関節等をサポートする関節用サポータでは、硬質装具を設けることで、着用時の快適感が低下する。また、関節用サポータでは、軟質装具を設けることで、膝に対する支持感の向上が図れない。さらに、軟質装具として、ヒンジやステーなどを設けた場合、関節用サポータは、着用時にずれが生じ易く、ずれが生じることで、屈伸や伸展の動作に違和感が生じてしまう。
【０００６】
本発明は、上記事実に鑑みてなされたものであり、着用時の快適性を維持しつつ運動や関節の曲げ伸ばし動作を妨げることのない関節用サポータを提供することを目的とする。
【課題を解決するための手段】
【０００７】
上記目的を達するための関節用サポータは、以下の態様を含む。
＜１＞  筒状に形成されて関節を挟んで関節の一側から関節の他側の範囲をサポートするサポータ本体と、前記サポータ本体の前記関節の側面側において前記関節に対する前後方向の中間部、該中間部の前側及び後側にそれぞれ設けられて、各々が前記関節の一側及び前記関節の他側に延伸された可撓性を有する複数の支持体と、を備えた関節用サポータ。
＜２＞  前記サポータ本体が脚の膝関節において、前記一側とされる膝関節の太腿側から前記他側とされる膝関節の脛側の範囲をサポートする＜１＞の関節用サポータ。
＜３＞  前記脚の前後方向における前記支持体の中心間隔が２ｍｍ以上にされた＜２＞の関節用サポータ。
＜４＞  前記支持体の少なくとも一つが前記脚の前側又は後側に向けて凸状に曲げられている＜２＞又は＜３＞の関節用サポータ。
＜５＞  前記支持体の少なくとも一つに前記脚の膝関節の側方部分に変曲点が設けられている＜２＞から＜４＞の何れかの関節用サポータ。
＜６＞  前記支持体は、前記脚の両側面の各々に設けられている＜２＞から＜５＞の何れかの関節用サポータ。
＜７＞  前記支持体は、金属製、樹脂製又は竹製である＜２＞から＜６＞の何れかの関節用サポータ。
【発明の効果】
【０００８】
本発明によれば、着用時の快適性を維持しつつ運動や関節の曲げ伸ばし動作を妨げることのない関節用サポータが得られる、という効果を有する。
【図面の簡単な説明】
【０００９】
【図１】本実施の形態に係る膝用サポータを示す脚の側面図である。
【図２】変形例に係る膝用サポータを示す脚の側面図である。
【図３】（Ａ）〜（Ｃ）の各々は、変形例に係る膝用サポータを示す脚の側面図である。
【図４】（Ａ）及び（Ｂ）は、変形例に係る膝用サポータを示す脚の側面図である。
【図５】（Ａ）及び（Ｂ）は、変形例に係る膝用サポータを示す脚の側面図である。
【発明を実施するための形態】
【００１０】
以下、本実施の形態に係る関節用サポータについて説明する。
本実施の形態の関節用サポータは、筒状に形成されて関節を挟んで関節の一側から関節の他側の範囲をサポートするサポータ本体と、前記サポータ本体の前記関節の側面側において前記関節に対する前後方向の中間部、該中間部の前側及び後側にそれぞれ設けられて、各々が前記関節の一側及び前記関節の他側に延伸された可撓性を有する複数の支持体と、を備えた関節用サポータである。
また、本実施の形態の関節用サポータは、サポータ本体が脚の膝関節において、一側とされる膝関節の太腿側から他側とされる膝関節の脛側の範囲をサポートする膝用サポータとして用いられる関節用サポータである。
本実施の形態の関節用サポータは、脚の前後方向における支持体の中心間隔が２ｍｍ以上にされていることが好ましい。
本実施の形態の関節用サポータは、支持体の少なくとも一つが脚の前側又は後側に向けて凸状に曲げられていても良い。
本実施の形態の関節用サポータは、支持体の少なくとも一つに脚の膝関節の側方部分にヒンジ部が設けられていても良い。
本実施の形態の関節用サポータは、支持体は、脚の両側面の各々に設けられても良く、脚の側面の一方に設けられていても良い。
本実施の形態の関節用サポータは、支持体は、金属製、樹脂製又は竹製の何れであっても良い。
【００１１】
本明細書中において、軸方向とは、筒状のサポータ本体を筒形状（円筒形状）に維持したときの筒形状の軸方向を指す。本明細書中において、筒状のサポータ本体の軸方向を、単に「軸方向」ということがある。また、本明細書中において、「軸方向」は、関節用サポータの技術分野における「縦方向」と呼ばれることがある方向であり、関節用サポータが着用される際の脚が挿入される方向ということもできる。
また、本明細書中において、筒状のサポータ本体の「周方向」とは、筒状のサポータ本体を筒形状に維持したときの「周方向」を指す。本明細書中では、筒状のサポータ本体の周方向を、単に「周方向」ということもある。本明細書中における周方向は、関節用サポータの技術分野において「横方向」と呼ばされることがある方向である。
本明細書中では、脚の膝蓋骨の側の面を「前面」と称し、脚の膝裏（膝窩）側の面を「後面」と称することがあると共に、脚の膝関節の側方側の面を「側面」と称することがある。また、本明細書中では、両脚の間で互いに向き合う側面を「内面」と称することがあり、両脚の間で互いの反対側の側面を「外面」と称することがある。
【００１２】
図１には、本実施の形態に係る関節用サポータとしての膝用サポータ１０が側方視にて示されている。図面において、膝用サポータ１０の軸方向の上側が矢印ＵＰにて示され、前側が矢印ＦＲにて示されている。
【００１３】
膝用サポータ１０は、筒状のサポータ本体１２を備えている。サポータ本体１２は、人の脚１４が挿入されて、軸方向の中間部分において脚１４の関節としての膝関節を含む膝１６をサポートする。また、サポータ本体１２は、軸方向の上側部分において、膝関節の一側としての脚１４の太腿１８側（膝１６の太腿１８側）をサポートすると共に、軸方向の下側部分において、膝関節の他側としての脚１４の脛２０側（膝１６の脛２０側）をサポートする。即ち、膝用サポータ１０は、サポータ本体１２が脚１４の膝１６（膝関節）を中心として、膝１６の太腿１８側と膝１６の脛２０側との間を所定の範囲で包むように着用される。
【００１４】
膝用サポータ１０は、サポータ本体１２として任意の構成を適用できるが、膝１６に対する固定感に優れると共に、膝関節の曲げ伸ばし性に優れたサポータ本体１２が用いられることがより好ましい。
【００１５】
このようなサポータ本体１２としては、軸方向及び周方向の各々において所定の弾性（弾性率）が生じるように構成されたものが用いられて、膝１６を中心として、膝１６の太腿１８側と膝１６の脛２０側との間の所定の範囲を周方向に包んでサポートする。この際、サポータ本体１２は、膝関節に対する適度な締め付け感が得られるように軸方向及び周方向の弾性率が定められた構成が適用される。
【００１６】
また、サポータ本体１２としては、軸方向及び周方向の少なくとも一方向（好ましくは両方向）に複数の領域に分割されて、隣接する領域の間で、軸方向への弾性率及び周方向への弾性率が異なる構成とされていても良い。これにより、例えば、軸方向において中央部分と太腿１８側部分と脛２０側部分とで、締め付け力や軸方向への伸びを異ならせることで、膝１６部分、太腿１８側部分及び脛２０側部分の各々において好ましい締め付け力を付与できる。また、サポータ本体１２の前側と後側との間で軸方向への弾性率を異ならせる（例えば、前側の弾性率を後側の弾性率より小さくする）ことで、脚１４の前面側と後面側とで伸縮性を変えることができて、脚１４の曲げ伸ばし動作を容易にできて好ましい。
【００１７】
このようなサポータ本体１２としては、編成組織が浮き編み組織を含む編成組織であることが好ましい。サポータ本体１２の編成組織が浮き編み組織を含む編成組織である場合には、膝用サポータ１０の製造時、脚１４に接する領域ごとに、浮き糸の密度や分布を変化させることにより、領域ごとの軸方向への弾性率を容易に調整できて、領域ごとに弾性率の異なるサポータ本体１２を製造し易い。
また、サポータ本体１２は、丸編みによって連続的に製造されたものであることが好ましい。これにより、筒状のサポータ本体１２を構成する各領域を別個に製造でき、次いでこれらを縫い合わせた場合と比較して、縫い目によって形成された突起部による違和感を生じることなく、着用時のフィット感がより向上するという効果が奏される。更に、サポータ本体１２を形成する各領域が、丸編みによって連続的に製造されたものであると、サポータ本体１２の全体の伸長率を確保し易いという効果も奏される。
また、サポータ本体１２の構造に着目すると、着用時のフィット感及び伸長率の確保の観点から、サポータ本体１２は、シームレス構造を有することが好ましい。ここで、シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の筒状のサポータ本体１２は、例えば、丸編みによって各領域を連続的に製造することにより形成できる。
膝用サポータ１０の編み組織の表面には、樹脂が含浸されていてもよいし、印刷が施されていてもよい。
【００１８】
サポータ本体１２の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
サポータ本体１２の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等が挙げられる。
【００１９】
また、膝用サポータ１０は、筒状のサポータ本体１２に対して太腿１８側に配置された太腿側口ゴム部２２と、サポータ本体１２に対して脛２０側に配置された脛側口ゴム部２４と、を備えることが好ましい。これにより、膝用サポータ１０は、サポータ本体１２のずれ落ちやめくれがより効果的に抑制される。
膝用サポータ１０が太腿側口ゴム部２２及び脛側口ゴム部２４を備える場合、太腿側口ゴム部２２及び脛側口ゴム部２４は、それぞれ、縫い合わせによってサポータ本体１２と接続されていてもよいし、それぞれ、丸編みによってサポータ本体とともに連続的に製造されていてもよい。
【００２０】
また、少なくとも太腿側口ゴム部２２の裏面（即ち、脚１４との対向面。以下同じ）の少なくとも一部には、サポータ本体１２のずれ落ち抑制の観点から、樹脂層（例えば、シリコーンゴム層、アクリル樹脂層、アクリルウレタン樹脂層等）が設けられていることが好ましい。樹脂層は、例えば印刷によって形成できる。樹脂層は、脛側口ゴム部の裏面に設けられていてもよい。
太腿側口ゴム部２２及び脛側口ゴム部２４の編み組織としては、ゴム編み組織又はノンラン編み組織が好ましい。
【００２１】
なお、膝用サポータ１０は、サポータ本体１２に太腿側口ゴム部２２及び脛側口ゴム部２４を備えていない構成であっても良い。また、膝用サポータ１０のサポータ本体１２は、上記構成に限らず、膝１６に対して適度な固定感が得られると共に、脚１４（膝１６）の屈曲伸展（膝関節の曲げ伸ばし）などの運動時に適度なサポート性が得られるものであれば良い。
【００２２】
ところで、膝痛を有する人は、負荷の高い膝の屈曲や伸展に不安を感じる。
発明者等は、膝痛を有する人の膝の屈伸や伸展に対する不安について鋭意検討した結果、サポータ本体１２において、各々が可撓性を有する３本以上の支持体を膝１６の側面側に配置して、膝１６の側面側が擬似的な面で支持されていると感じられることで、脚１４の運動性を損ねることなく、膝１６に対する高い支持感を得ることができて、膝痛を有する人の不安感を解消できることを見出した。
【００２３】
ここから、本実施の形態に係る膝用サポータ１０には、支持体としてのステー２６が設けられており、ステー２６は、複数（本実施の形態では、一例としてステー２６Ａ、２６Ｂ、２６Ｃの３本、以下、総称する場合には、ステー２６という）が用いられている。ステー２６の各々は、サポータ本体１２において、脚１４の側面に接する部分の外側に配置されている。なお、各図においては、ステー２６を明確に識別可能とするため、実際の相対的な幅を広くして（例えば、サポータ本体１２の前後方向の寸法に比較して幅広く）示している。
【００２４】
本実施の形態においては、３本のステー２６を例に説明するが、ステー２６の数は、３本以上、２０本以下であることが好ましい。ステー２６の数を少なくとも３本とすることで、サポータ本体１２において、膝１６の側面側に擬似的な支持面２８を形成することができ，ステー２６の数を多くすることで、擬似的な支持面２８を広くすることができる。また、ステー２６の数が２０本を越えると、ステー２６の間隔が詰まり過ぎて、ステー２６が実質的（擬似的でない）面を形成することになり、膝１６の動きを制限してしまう。
サポータ本体１２において、擬似的な支持面２８を形成する上では、ステー２６の数は、５本以上、１０本以下であることがより好ましい。
【００２５】
本実施の形態では、サポータ本体１２において、脚１４の内面側及び外面側の各々にステー２６を設けている。脚１４の内面側及び外面側の各々におけるステー２６の配置は、同様の構成とされており、図１では、脚１４の一方の側面側を図示して、他方の側面側の図示を省略すると共に、一方の面について説明する。
【００２６】
ステー２６は、脚１４の前後方向の中間位置にステー２６Ａが配置されると共に、ステー２６の前側にステー２６Ｂが配置され、ステー２６の後側にステー２６Ｃが配置されている。また、ステー２６は、長手方向がサポータ本体１２の軸方向にされて、サポータ本体１２に取り付けられている。
【００２７】
ステー２６は、可撓性を有する材質により形成されている。
ステー２６の各々のサポータ本体１２側面視の形状としては、略棒状であっても良く、略線状（糸状）であっても良い。また、ステー２６の各々のサポータ本体１２側面視の形状としては、直線状であっても良く、人が自然体で立った状態において、脛側から太腿側の間で中心線が屈曲又は折曲している場合、ステー２６は、膝関節の側面近傍において屈曲又は折曲された形状にされても良い。
【００２８】
ステー２６の脚１４の前後方向に対する外形寸法は、２ｍｍ以下であることが好ましく、ステー２６の長手方向と直交する方向の断面積は、１ｍｍ２以上、４００ｍｍ２以下が好ましい。
ステー２６は、サポータ本体１２を着用した人が、サポータ本体１２の側面にステー２６があると感じる程度であれば良く、ステー２６は、膝の前後方向に可撓性を有すればよく、膝関節の曲げ伸ばしを容易にするためには、前後方向には、弾性があるとは感じないか、或いは僅かに弾性があると感じられる程度の可撓性があれば良い。また、ステー２６は、前後方向に弾性があると強く感じられると、膝関節の曲げ伸ばし動作に影響すると感じられるので、好ましくない。
これに対して、膝の左右方向について、ステー２６は、膝関節の側面にサポート感を付与するためには、可撓性と共に、弾性を有することがより好ましい。
このようなステー２６としては、例えば、断面長方形状で細帯状である場合、断面長辺を脚１４の左右方向とし、断面短辺を脚１４の前後方向にして配置することが考えられる。
【００２９】
ステー２６の長手方向と直交する方向の断面形状は、特に限定されない。ステー２６の断面形状は、外観を考慮した場合、円形であることが好ましいが、これに限らず、細幅の四角形状（正方形状及び長方形状）であっても良く、五角形以上の多角形状であっても良い。さらに、ステー２６の断面形状は、十字の星型形状等の星型多角形状であっても良い。
【００３０】
ステー２６の断面形状としては、円形、四角形や五角形以上の多角形とした場合、同様の断面積における断面多角形星型形状と比較して辺の数が少ないために、膝関節の支持性を向上できると共に、膝関節の曲げ伸ばし動作に追従した撓みが容易になるので、膝関節の曲げ伸ばし動作容易性が得られる。
また、ステー２６の断面形状を星型多角形状とした場合、同様の断面積における多角形状と比較して短い辺の数が多くなると共に、中心部分における実質的な断面積を小さくできるので、ステー２６の可撓性が向上されると共に、鋭角となった角部又は角部の間が接触した際の接触感が得やすいことから、高い支持感が得られる。
【００３１】
また、ステー２６は、細線状の複数の素材が束ねられた形状にされても良い。即ち、複数の糸状の素材を撚るなどして束ねて形成されていても良く、この際、各素材の断面積の総和が上記した断面積の範囲内となることが好ましい。また、複数の素材を束ねてステー２６を形成する場合、各素材は、各々が可塑性を有すればよく、同一の材質が用いられても良く、異なる材質が含まれていても良く、束ねられる素材の数が少ない場合には、各々の素材が互いに異なる材質であっても良い。
さらに、複数の素材を束ねてステー２６を形成する場合、各素材の断面形状は、上記断面形状の何れが適用されても良く、複数が同一の断面形状であっても良く、異なる断面形状の素材が含まれていても良く、さらに、全ての素材の各々が異なる断面形状であっても良い。
【００３２】
また、各々が糸状の複数の素材を束ねてステー２６を形成する場合には、束ねる素材よりも断面積の大きい（太い）を心材として用い、心材の周囲の糸状の素材を撚り合せて束ねるようにしても良い。
さらに、複数の素材を撚り合せて形成されるステー２６は、束ねられた素材の周囲が被覆されていても良い。また、ステー２６は、上記した多角形状や星型多角形状の素材の周囲が被覆されていても良い。
【００３３】
ステー２６の材質としては、可撓性を有する材質であれば良く、軟質材（軟質装具）、準軟質材（準軟質装具）、及び硬質材（硬質装具）の何れを用いても良い。
ステー２６が軟質装具を形成する際の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
ステー２６が軟質装具を形成する際の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等が挙げられる。
【００３４】
ステー２６が準軟質装具を形成する際の材質としては、各種の樹脂シート、スポンジ、ネオプレンスポンジなどが挙げられる。
さらに、ステー２６が硬質装具を形成する際の材質としては、金属であっても良く、樹脂であっても良く、さらには、竹であっても良く、竹以外の木本などの植物であっても良い。
【００３５】
従って、サポータ本体１２に設けるステー２６は、材質、太さ（外径寸法及び断面積）、断面形状、及び本数を、サポータ本体１２を着用した人が側面に接するステー２６により接触感を受け、且つ、複数本のステー２６の間で、面で支持されていると感じるように定めたものであれば良い。
【００３６】
サポータ本体１２へのステー２６の取り付けは、サポータ本体１２が伸縮することで、ステー２６に撓みや撓みからの復元が生じるようにされている。このようなステー２６の取り付けは、ステー２６をサポータ本体１２に縫い付けても良く、接着材料を用いてサポータ本体１２に接着しても良い。
【００３７】
また、ステー２６は、熱融着によってサポータ本体１２に取り付けても良く、テープを用いて、サポータ本体１２に貼り付けても良い。また、ステー２６及びサポータ本体１２の一方に面ファスナーのフック側を設け、ステー２６及びサポータ本体１２の他方に面ファスナーのパイル側を設けて、面ファスナーのフック側とパイル側とを係合させることで、ステー２６をサポータ本体１２に取り付けても良い。
【００３８】
さらに、少なくともステー２６の長手方向、好ましくは、ステー２６の長手方向の両端と長手方向の中間部の少なくとも１箇所以上に取付け用のジグ（治具）を設け、治具によってステー２６をサポータ本体１２に取り付けても良い。
【００３９】
また、サポータ本体１２に軸方向に沿う長尺筒状のポケットを複数形成して、ポケットの各々にステー２６を挿入して取り付けても良い。また、サポータ本体１２の軸方向の両端側（上下）に袋状のポケットを形成して、上下のポケットにステー２６の長手方向の両端部を挿入することで、ステー２６をサポータ本体１２に取り付けても良い。サポータ本体１２の上下にポケットを形成する場合、サポータ本体１２には、上下のポケットの間に短い筒状部分を形成して、筒状部分にステー２６を通してステー２６の中間部が保持されるようにすることがより好ましい。
【００４０】
また、サポータ本体１２に中央のステー２６Ａを取り付ける位置としては、膝用サポータ１０が装着された際に、脚１４の側方視において運動軸（正常な下肢において股関節と膝関節と足首の関節の中央とを結ぶ直線）に中央のステー２６Ａが重なる位置にされることが好ましい。
【００４１】
また、サポータ本体１２に両側のステー２６Ｂ、２６Ｃを取り付ける位置としては、膝関節に重ねるステー２６Ｂ、２６Ｃの長手方向（上下方向）の中間位置とステー２６Ａの中間位置とにおいて、ステー２６Ｂ、２６Ｃの中心位置とステー２６Ａの中心位置との間隔Ｄ０が２ｍｍ以上（Ｄ０≦２）となる位置であれば良く、３ｍｍ以上（Ｄ０≦３）であることがより好ましい。本実施の形態では、間隔Ｄ０を３ｍｍにしている。
本実施の形態における間隔Ｄ０、Ｄ１、Ｄ２の数値は、サポータ本体１２を非伸長状態にして測定した置き寸法を指す。図１に図示した間隔Ｄ０、Ｄ１、Ｄ２は、置き寸法を測定する位置を示しており、図１に示す装着状態における間隔Ｄ０、Ｄ１、Ｄ３の数値は、サポータ本体１２が伸長することで、置き寸法の数値より大きくなっている。
【００４２】
また、ステー２６Ｂ、２６Ｃの上端部の中心位置の各々とステー２６Ａの上端部の中心位置との間隔Ｄ１、ステー２６Ｂ、２６Ｃの下端部の中心位置とステー２６Ａの下端部の中心位置との間隔Ｄ２の各々は、間隔Ｄ０以上（Ｄ０≦Ｄ１、Ｄ２）であれば良い。
【００４３】
また、ステー２６の長さとしては、膝関節部分において大腿骨と腓骨とをつなぐ太腿四頭筋、膝蓋骨靭帯、及び前十字靭帯等を補助する観点から８０ｍｍ以上であることが好ましい。また、ステー２６の長さとしては、長いことが好ましいが、必要以上に長いと、ステー２６の両端側が太腿側及び脛側に不必要な接触感を生じさせることから、ステー２６の長さは、４００ｍｍ以下であることが好ましい。
【００４４】
以上の構成にされた膝用サポータ１０は、筒状にされたサポータ本体１２に、各々が可撓性を有する複数のステー２６が設けられている。ステー２６は、サポータ本体１２の脚１４の側面側において脚１４の前後方向の中間部にステー２６Ａが設けられていると共に、中間部の前側にステー２６Ｂが設けられ、後側にステー２６Ｃが設けられており、ステー２６の各々が太腿１８側及び脛２０側に延伸されている。
【００４５】
このため、サポータ本体１２では、側面に設けられた複数のステー２６が、サポータ本体１２の側面に擬似的な支持面２８（図１において二点鎖線にて示される面）が形成される。支持面２８は、ステー２６Ａ〜２６Ｃを含む面とされる。これにより、膝用サポータ１０は、着用されることで、着用者が膝１６の側面側が、サポータ本体１２の支持面２８によって面で支持されていると感じて、膝痛に対する不安を抑制できる。
【００４６】
ここで、ステー２６の各々は、可撓性を有しており、脚１４（膝１６）が屈伸された場合、脚１４の屈伸によるサポータ本体１２の伸縮に合わせてステー２６の各々に撓みが生じると共に、サポータ本体１２により撓みが戻される（復元される）。このため、膝用サポータ１０は、着用時の快適性を維持しつつ運動や膝の屈伸動作を妨げることがない。特に、ステー２６は、脚１４の運動軸に沿って配置されているので、膝関節を変曲点とする脚１４の屈伸に追従して撓むので、ステー２６が膝１６の屈伸運動を阻害するように干渉することがないので、膝用サポータ１０が脚１４の運動性を損ねることがない。
【００４７】
また、ステー２６（２６Ａ、２６Ｂ、２６Ｃ）は、脚１４の前後方向における中心の間隔Ｄ０が３ｍｍ以上にされているため、脚１４の運動時においても、互いに重なりあうことがないので、ステー２６が重なりあうことにより、脚の運動（膝の屈伸）を妨げることがない。
また、膝用サポータ１０は、脚１４の両側面にステー２６が設けられることで、着用者に膝１６の側面の両側が安定して支持されているという感触を与えることができる。なお、ステー２６は、脚１４の一方の側面側（内面側又は外面側）に設けても良い。
【００４８】
〔変形例〕
以上説明した本実施の形態では、支持体として各々が直線状にされた３本のステー２６（２６Ａ〜２６Ｃ）を設けたが、支持体の数及び形状は、これに限るものではない。
支持体は、３本に限らず、４本以上であっても良い。
【００４９】
図２には、支持体としての４本のステー２６が設けられた関節用サポータとしての膝用サポータ１０Ａが示されている。この膝用サポータ１０Ａは、サポータ本体１２の側面において、前側にステー２６Ｂが設けられていると共に、後側にステー２６Ｃが設けられており、ステー２６Ｂ、２６Ｃの間には、ステー２６Ａに変えて２本のステー２６Ｄ、２６Ｅが設けられている。
ステー２６Ｂ〜２６Ｅは、互いの中心位置の間隔Ｄ０が２ｍｍ以上にされており、ステー２６Ｄ、２６Ｅは、脚１４の運動軸を挟んで配置されている。
【００５０】
このため、膝用サポータ１０Ａを着用した人は、サポータ本体１２の側面にステー２６Ｂ〜２６Ｅにより擬似的な支持面（図示省略）が形成されていると感じて、膝関節が安定して支持されていると感じる。これにより、膝用サポータ１０Ａは、着用時の快適性を維持しつつ運動や膝の屈伸動作を妨げることがないと共に、膝痛を有する人が脚１４の運動に不安を生じてしまうのを抑制できる。
【００５１】
また、複数の支持体は、少なくとも一つが脚１４の前側又は後側に向けて凸状に曲げられていても良い。
図３（Ａ）及び図３（Ｂ）には、支持体として設けた３本のステー２６のうちの一つが凸状に曲げられた例が示されている。
【００５２】
図３（Ａ）に示す関節用サポータとしての膝用サポータ１０Ｂは、ステー２６Ｃに変えて、ステー２６Ｆが設けられており、ステー２６Ｆは、膝１６の側方位置がステー２６Ａに最も近くなるように、前側に向けた凸状に湾曲されている。
また、図３（Ｂ）に示す関節用サポータとしての膝用サポータ１０Ｃは、ステー２６Ｃに変えて、ステー２６Ｇが設けられており、ステー２６Ｇは、膝１６の側方位置がステー２６Ａに最も近くなるように、前側に向けた凸状に折曲（屈曲）されている。
【００５３】
このように構成されている膝用サポータ１０Ｂ、１０Ｃでは、膝１６（膝関節）近傍の支持面（図示省略）の面積が広がるのを抑えて、太腿１８側及び脛２０側の面積を広くできて、着用者が安定した支持感を感じるようにできる。
【００５４】
なお、膝用サポータ１０Ｂにおいて、ステー２６Ｃに変えてステー２６Ｆを設けたが、ステー２６Ａ又はステー２６Ｂの少なくとも一方をステー２６Ｆと同様の形状に変えても良く、ステー２６Ａ〜２６Ｃの何れか２本をステー２６Ｆと同様の形状に変えても良く、ステー２６Ａ〜２６Ｃの全てをステー２６Ｆと同様の形状に変えても良い。
また、膝用サポータ１０Ｃにおいて、ステー２６Ｃに変えてステー２６Ｇを設けたが、ステー２６Ａ又はステー２６Ｂの少なくとも一方をステー２６Ｇと同様の形状に変えても良く、ステー２６Ａ〜２６Ｃの何れか２本をステー２６Ｇと同様の形状に変えても良く、ステー２６Ａ〜２６Ｃの全てをステー２６Ｇと同様の形状に変えても良い。
さらに、膝用サポータ１０Ｂにおいて、前側に凸状となるように湾曲されたステー２６Ｆを設けたが、ステー２６Ｆとは逆向きのステー（後側に向けて凸状にされたステー）を設けても良い。また、膝用サポータ１０Ｃにおいて、前側に凸状となるように屈曲されたステー２６Ｇを設けたが、ステー２６Ｇとは逆向きに折曲されたステー（後側に向けて凸状にされたステー）を設けても良い。
【００５５】
ステー２６の一部又は全部について、屈曲又は湾曲させる場合、サポータ本体１２を着用する人の脚にあわせることがより好ましい。即ち、所謂膝が曲がっていると言われる人がサポータ本体１２を着用する際には、膝の曲がりに合せてステー２６が屈曲又は湾曲されていても良い。この場合には、膝の曲がりに合せてステー２６を屈曲ないし湾曲させることで、膝が曲がっているといわれる人に対して、複数のステー２６が快適な支持感を与えることが可能となる。
【００５６】
また、図３（Ｃ）に示すように、ステー２６Ａの前側のステーと後側のステーとで、湾曲（又は屈曲）される向きを異ならせても良い。この関節用サポータとしての膝用サポータ１０Ｄでは、ステー２６Ａ、ステー２６Ｆを設けると共に、ステー２６Ｂに変えて、ステー２６Ｈが設けられており、ステー２６Ｈは、ステー２６Ｆとは逆向き（後側に向けて凸状）にされている。このような、膝用サポータ１０Ｄにおいても、より効果的に擬似的な支持面の面積を広くできる。
【００５７】
また、支持体には、ヒンジ部が設けられていても良い。
図４（Ａ）及び図４（Ｂ）には、支持体にヒンジ部が設けられた例が示されている。
【００５８】
本実施の形態に適用されるヒンジ部の形状等は、限定されるものではなく、ヒンジ部としては、各種の形状等を適用できる。本実施の形態においてヒンジ部の有する機能は、分割されたステー２６の上側と下側とを連結する機能を有すればよい。
また、ヒンジ部の有する機能は、連結したステー２６の上側と下側とが脚１４の前後方向において個々に撓むことが可能とすると共に、連結したステー２６の上側と下側とが撓む際の折曲点（変曲点でも良い）として機能できれば良い。
さらに、ヒンジ部は、折曲点として機能する際にステー２６が撓むのと同様に負荷がかからないことが好ましい。これにより、脚１４の曲げ伸ばしの際に抵抗感が生じるのを抑制できる。
また、ヒンジ部は、脚１４の左右方向については、ステー２６と同様に可撓性を有すればよい。この際、ヒンジ部は、脚の左右方向に弾性を有しても良い。これにより、ヒンジ部がサポータ本体１２の着用者に対して、膝１６が安定して支持されているという感覚を生じさせることが可能となる。また、サポータ本体１２の着用者がステー２６を左右方向に曲げるように動作した際に、抵抗感を生じるようにできて、より安定感が感じられるようにできる。
【００５９】
ヒンジ部としては、分割されたステー２６の上側と下側とを一つの折曲点によって連結する構成を適用できる。また、ヒンジ部は、分割されたステー２６の上側と下側とを異なる折曲点で連結する構成を適用しても良く、さらに、分割されたステー２６の上側と下側とを異なる折曲点で連結する際、２つの折曲点が脚１４の曲げ伸ばし動作に応じて脚１４の前後方向に移動可能な構成を適用しても良い。
また、ヒンジ部内には、ゴムやばねなどの弾性体が含まれていても良く、ギア（歯車）やリンクなどの機械的機能が含まれても良い。また、ヒンジ部は、ステー２６と比較すると、脚１４の前後方向の幅が広く見えることから、ヒンジ部の表面側には、各種の装飾を施すなどして意匠性を有するようにしても良い。
サポータ本体１２にヒンジ部を設けることで、１本のステー２６がその可撓性によって撓む場合に比べて、大きく撓んでいるとみなすようにできて、脚１４の曲げ伸ばし動作の際に、ステー２６が曲げ伸ばし範囲を制限してしまうのを抑制できる。
【００６０】
図４（Ａ）に示す関節用サポータとしての膝用サポータ１０Ｅには、ステー２６Ａ、２６Ｂ、２６Ｃに変えてステー２６Ｉ、２６Ｊ、２６Ｋが設けられている。ステー２６Ｉは、前後方向の中間部に設けられている。また、ステー２６Ｊは、ステー２６Ｉの前側に設けられて、後側に向けて凸状に湾曲（折曲）されており、ステー２６Ｋは、ステー２６Ｉの後側に設けられて、前側に向けて凸状に湾曲（折曲）されている。
ステー２６Ｉ、２６Ｊ、２６Ｋは、軸方向（上下方向）の中間部にて分割されており、分割部分が、ヒンジ部３０によって連結されている。ヒンジ部３０は、ステー２６Ｉ〜２６Ｋが前後方向に撓む際には、ステー２６Ｉ〜２６Ｋの各々の上下が個別に撓むようにしている（上下を切り離すように機能する）。また、ヒンジ部３０は、ステー２６Ｉ〜２６Ｋが左右方向（膝１６の内側方向及び外側方向）に撓む際には、上下が一体となって撓むようにされている。
【００６１】
図４（Ｂ）に示す関節用サポータとしての膝用サポータ１０Ｆには、ステー２６Ａが設けられていると共に、ステー２６Ｂ、２６Ｃに変えてステー２６Ｌ、２６Ｍが設けられている。ステー２６Ｌは、ステー２６Ａの前側に設けられて、後側に向けて凸状に湾曲（折曲）されており、ステー２６Ｍは、ステー２６Ａの後側に設けられて、前側に向けて凸状に湾曲（折曲）されている。
ステー２６Ｌ、２６Ｍは、軸方向（上下方向）の中間部にて分割されていると共に、上側及び下側の各々がさらに分割されている。また、ステー２６Ｌ、２６Ｍには、分割部分の各々にヒンジ部３０が設けられている。
【００６２】
このように構成されている膝用サポータ１０Ｅ、１０Ｆでは、ステー２６（２６Ａ、２６Ｉ〜２６Ｍ）の各々により、膝１６の支持感を向上させることができて、膝痛を有する人が不安になるのを抑制できる。また、膝用サポータ１０Ｅ、１０Ｆは、膝１６の固定感を維持しつつ、脚１４の屈伸運動を容易にできる。
【００６３】
また、関節用サポータとしての膝用サポータには、支持体としてのステー２６よりも短い一つ又は複数のステーを含んでも良い。
図５（Ａ）及び図５（Ｂ）には、短いステーを設けた一例としての膝用サポータ１０Ｇが示されている。なお、図５（Ａ）は、脚１４の内側が示され、図５（Ｂ）には、脚１４の外側が示されている。
【００６４】
膝用サポータ１０Ｇには、サポータ本体１２に支持体としてのステー２６（２６〜２６Ｃ）が設けられている。また、膝用サポータ１０Ｇには、サポータ本体１２において、ステー２６Ｂよりも前側かつ上側（膝１６及び太腿１８側）に一つ又は複数のステー部３２が設けられている。図５（Ａ）及び図５（Ｂ）には、一例として２本のステー部３２が設けられている。
ステー部３２の各々は、ステー２６よりも短くされたステー３４が用いられ、ステー３４がサポータ本体１２の軸方向に沿って複数が配列されて形成されている。なお、ステー３４としては、複数が連続して配置されることで、サポータ本体１２の着用者がステー２６とは別に、短い１本のステー（支持体）が設けられていると感じるものであれば良く、ドット状の部材を並べて配置しても良い。
【００６５】
一般に、脚１４の太腿１８の後側（後面）は、脚１４の他の部位と比較して体脂肪率が高く、サポータ本体１２は、太腿１８の後面側が大きく膨らみ、太腿１８の前面側は、太腿１８の後面側よりも膨らみは小さい。
膝用サポータ１０Ｇは、この太腿１８側にステー部３２を設けている。このため、膝用サポータ１０Ｇでは、着用者が感じる擬似的な支持面（図示省略）が太腿１８の前側に延出される。このため、膝用サポータ１０Ｆは、固定感を維持しつつ運動性が損ねられるのを防止できると共に、着用者により高い支持感を与えることができて、膝痛を有する人が脚１４の屈伸運動に対して不安感が生じるのを一層抑制できる。
【００６６】
このように本実施の形態において、支持体は、サポータ本体の軸方向に沿って連続的に配置されていればよく、所定の間隔で間歇的に配置されていても良い。
【００６７】
また、本実施の形態では、膝関節のサポートに用いられる膝用サポータ１０を例に説明したが、本発明の関節用サポータは、膝関節のサポートのみならず、肘関節のサポート、手首関節のサポート、手指関節のサポート、又は足指関節のサポートに用いられる関節用サポータに適用できる。
【符号の説明】
【００６８】
１０、１０Ａ〜１０Ｇ    膝用サポータ（関節用サポータ）
１２    サポータ本体
２６（２６Ａ〜２６Ｍ）    ステー（支持体）
２８    支持面
３０    ヒンジ部
【図１】
2018166944.tif 000003
【図２】
2018166944.tif 000004
【図３】
2018166944.tif 000005
【図４】
2018166944.tif 000006
【図５】
2018166944.tif 000007